(57)【要約】【課題】台所用品・家庭電化製品等の発する各種通報音声を、聴覚障害者に検知・発生源の特定を可能とする、また通報音声が検知しにくい場所にいる聴覚正常者にその検知を可能とする、通報装置の提供。【解決手段】通報音声をマイクロホンでピックアップして増幅し、それを他の情報伝達方法、例えば視覚情報および／あるいは触覚情報に変換して出力する。この変換に際しては、極力元の通報音声の特徴、例えば音声レベル、音声周波数、繰返し周期、等の特徴、を残した形で変換する。また、通報音声発生源から離れている使用者に対しては、マイクロホンでピックアップして増幅した音声信号を、微弱電力送信機で送信し、それを受信機で受信して後前記情報伝達方法の変換を行う。また、音声の聞きとりが困難な離れた場所にいる聴覚正常者に対しての伝達手段として、前記受信機での受信信号である通報音声をそのまま増幅してスピーカ出力する。【選択図】　　　　　　　　図２
2004073417.tif 000002
【特許請求の範囲】
【請求項１】
音声をピックアップするマイクロフォン、前記マイクロフォン出力を増幅する増幅器、前記増幅器出力の音声信号をその特徴を保って視覚情報に変換する変換機、前記変換機出力である視覚情報を表示出力する表示機、を有することを特徴とする通報装置。
【請求項２】
請求項１にあって、増幅器出力の音声信号は微弱電力利用の送信機および前記微弱電力利用の送信機出力を受信する受信機を経由して変換機に入力されることを特徴とする通報装置。
【請求項３】
音声をピックアップするマイクロフォン、前記マイクロフォン出力を増幅する増幅器、前記増幅器出力の音声信号を送信する微弱電力利用の送信機、前記微弱電力利用の送信機出力を受信する受信機、前記受信機出力の音声信号を電力増幅する音声電力増幅器、前記音声電力増幅器出力を音声出力するスピーカ、を有することを特徴とする通報装置。
【請求項４】
請求項３にあって、微弱電力利用の送信機の送信信号はラジオ受信機で受信可能であることを特徴とする通報装置。
【発明の詳細な説明】
【０００１】
【発明が属する技術分野】
本発明は、台所用品、家庭電化製品等が発する各種通報あるいは警報音声を聴覚障害者が検知できる他の伝達方法に変換する、あるいは通報あるいは警報音声が届きにくいところにいる聴覚正常者にその伝達を可能にする、通報装置に関する。
【０００２】
【従来の技術】
台所用品あるいは家庭電化製品等の使用に際して、聴覚障害者用、あるいは耳の遠くなった老人用に、音声による通報あるいは警報の伝達に代えて画像表示等による伝達の試みはごく一部なされているが、まだその効果は実用的に十分ではない。
【０００３】
【発明が解決しようとする課題】
本発明は台所用品、家庭電化製品等の発する各種通報あるいは警報音声を聴覚障害者でも検知および弁別可能にする、また通報あるいは警報音声が検知しにくい場所にいる聴覚正常者にその検知を可能にする、通報装置を提供しようとするものである。
【０００４】
【課題を解決するための手段】
通報あるいは警報音声をマイクロフォン等でピックアップして増幅し、それを他の伝達方法例えば視覚情報あるいは触覚情報に変換して出力する。
【０００５】
この変換に際しては極力元の通報あるいは警報音声の特徴例えば音声レベル、音声周波数、繰返し周期、等の特徴を残した形で変換する。
この変換された出力例えば視覚情報に変換された表示出力を聴覚障害者である使用者が見て、その表示情報の特徴から通報あるいは警報の内容を弁別する。
【０００６】
あるいは、マイクロフォンでピックアップして増幅した音声信号を、微弱電力送信機で送信し、それを受信機で受信して後、前記伝達方法の変換を行う。
【０００７】
また、聴覚障害者用としてでなく、単に通報あるいは警報音声の聞きとりが困難な離れた場所にいる聴覚正常者に対しての通報あるいは警報音声伝達手段として、前記受信機での受信信号である音声信号をそのまま電力増幅してスピーカ出力する装置も考えられる。
【０００８】
【実施例】
以下、本発明の実施例について図１、図２、図３、図４を用いて説明する。
図１は、聴覚障害者である本装置使用者が通報音声を出力する台所用品あるいは家庭電化製品等の近くにいる場合、即ち聴覚正常者であれば前記通報音声を直接検知できる距離にいる場合、の本発明構成例、
【０００９】
図２は、聴覚障害者である本装置使用者が、聴覚正常者であっても直接前記通報音声を聞くことができないくらい遠方にいる場合の本発明構成例、
【００１０】
図３は、直接前記通報音声を聞くことができないくらい遠方にいる聴覚正常者用の本発明構成例、
【００１１】
図４は、図１、図２に示す変換機Ｂの構成例および表示機の表示例を示す説明図、
である。
【００１２】
図１および図４において、
１は、台所用品、家庭電化製品等が発する通報音声等をピックアップするマイクロホン、
２Ａは、前記マイクロホン出力を増幅する音声増幅器、
３Ａは、前記音声増幅器２Ａ出力の検波・積分値が一定レベル以上である場合、後述のバイブレーターを一定時間駆動する変換機、
【００１３】
３Ｂは、前記音声増幅器２Ａ出力の特徴を保って視覚情報に変換する変換機であり、例えば図４に示すごとく音声増幅器２Ａ出力を複数の異なる周波数帯域の音声信号に分割して抽出するための音声周波数帯域フィルター群（Ｆ１、Ｆ２、Ｆ３、Ｆ４）および前記音声周波数フィルター群出力信号を個別に整流・濾波するための検波器群（Ｄ１、Ｄ２、Ｄ３、Ｄ４）から構成される。
【００１４】
４Ａは、前記変換機３Ａ出力を使用者の触覚に感じさせるための触覚信号に変換するバイブレータ、
４Ｂは、前記変換機３Ｂ出力を視覚情報に変換する表示機であり、例えば変換機３Ｂ出力を図４のごとく表示するスペクトラム表示機、
である。
【００１５】
本装置を携帯した視覚障害者である使用者は、台所用品あるいは家庭電化製品等から通報音声が出力されたとき、本装置によってその通報音声はピックアップ、音声増幅された後、触覚で感知できる振動情報としてバイブレータ４Ａから出力されることにより、通報音声を検知する。
【００１６】
あわせて、前記通報音声は表示機４Ｂにより通報音声のレベル、周波数、繰返し周期等の特徴を保った形でスペクトラム表示されることにより、使用者はそのスペクトラム表示内容とその経時変動の特徴から通報音声の発生源を特定することができる。
【００１７】
図２において、
１、２Ａ、３Ａ、３Ｂ、４Ａ、４Ｂ、はそれぞれ図１に示すマイクロホン１、音声増幅器２Ａ、変換機３Ａ、変換機３Ｂ、バイブレータ４Ａ、表示機４Ｂ、と同一である。
【００１８】
５は、前記音声増幅器２Ａ出力で搬送波を変調して送信する微弱電力利用の送信機、
６は、前記微弱電力利用の送信機５の送信信号を受信する受信機、
２Ｂは、前記受信機６出力である警告音声を増幅する音声増幅器、
【００１９】
１０は、マイクロホン１、音声増幅器２Ａ、微弱電力利用の送信機５から構成される、通報音声検知部、
２０は、受信機６、音声増幅器２Ｂ、変換機３Ａ、変換機３Ｂ、バイブレータ４Ａ、および表示機４Ｂ、から構成される通報伝達部、
である。
【００２０】
使用に際しては、通報音声検知部１０を通報音声をピックアップしやすい場所に設置し、聴覚障害者である使用者は、通報伝達部２０を携帯する。その他の使用方法は図１の場合と同様である。
【００２１】
図３において、
１、２、５、６、はそれぞれ図２に示すマイクロホン１、音声増幅器２Ａ、微弱電力利用の送信機５、受信機６、と同一である。
【００２２】
７は、受信機６の音声出力を電力増幅する音声電力増幅器、
８は、音声電力増幅器７出力を音声出力するスピーカ、
【００２３】
１０は、図２に示すと同一の通報音声検知部、
３０は、受信機６、音声電力増幅器７、およびスピーカ８から構成される通報音声出力部、
である。
【００２４】
使用に際しては、図２構成例の場合と同様、通報音声検知部１０を通報音声発生源近くに設置し、聴覚正常者である使用者は通報音声出力部３０を携帯する。通報音声出力部３０は、前記送信機の送信信号を受信できるラジオ受信機で代用することも可能である。
【００２５】
【発明の効果】
以上のごとく本発明により、聴覚障害者は聴覚正常者と同様に台所用品、家庭電化製品等からの通報の検知、およびその発生源の特定が可能となる。また、通報音声が直接聞こえない場所にいる聴覚正常者もその検知・対応が可能となる。
【図面の簡単な説明】
【図１】警告音声発生源が、使用者である聴覚障害者のごく近傍にある場合の本発明構成例
【図２】警告音声発生源が、使用者である聴覚障害者の遠方にある場合の本発明構成例
【図３】警告音声発生源が、使用者である聴覚正常者の遠方にある場合の本発明構成例
【図４】本発明構成例図１、図２中の変換機３Ｂの具体的構成および表示機４Ｂの表示例を示す説明図である。
【符号の説明】
図１、図２、図３において、
１：マイクロホン、
２Ａ：音声増幅器、
２Ｂ：音声増幅器、
３Ａ：変換機、
３Ｂ：変換機、
４Ａ：バイブレータ、
４Ｂ：表示機、
５：微弱電力利用送信機、
６：受信機、
７：音声電力増幅器、
８：スピーカ、
１０：通報音声検知部、
２０：通報伝達部、
３０：通報音声出力部、
図４において、
Ｆ１、Ｆ２、Ｆ３、Ｆ４：音声周波数帯域フィルター、
Ｄ１、Ｄ２、Ｄ３、Ｄ４：検波器、
である。
【図１】
2004073417.tif 000003
【図２】
2004073417.tif 000004
【図３】
2004073417.tif 000005
【図４】
2004073417.tif 000006